(57)【要約】【課題】箱状に組み立てる際の作業性に優れた折り畳みコンテナを提供する。【解決手段】中空板材から構成される四角箱状のコンテナ１０は、底壁１１と、底壁１１の短側縁及び長側縁に沿って立設される各一対の短側壁１２及び長側壁１３とを備え、底壁１１上に短側壁１２及び長側壁１３を順に重ねるようにして内方へ折り畳み可能に構成されている。長側壁１３の側縁における切込部１３ａから上側の部位には、側縁フレーム４０が取り付けられるとともに、底壁１１には側縁フレーム４０を支持する支持部材５０が取り付けられている。支持部材５０は、側縁フレーム４０の下端面が載置される載置部５２を備え、載置部５２には、側縁フレーム４０よりも内方へ突出して形成され、長側壁１３の内方への回動を抑制する抑制部（載置面５２ａ）が設けられている。【選択図】図８
2014166884.tif 000002
【特許請求の範囲】
【請求項１】
内部に中空構造を形成するコア層と前記コア層の両面に配されるスキン層とを有する合成樹脂製の中空板材からなり、四角板状の底壁と、前記底壁の周縁に立設される対向する各一対の第１側壁及び第２側壁を備える四角箱状のコンテナであって、前記底壁上に前記第１側壁を重ねるとともに、前記第１側壁上に前記第２側壁を重ねることにより内方へ折り畳み可能に構成された折り畳みコンテナにおいて、
前記第２側壁には、内側の前記スキン層を残した切込部が前記第２側壁の下辺に沿って形成されるとともに、前記第２側壁は、前記切込部において内側の前記スキン層を屈曲させることによって内方へ折り畳み可能に構成され、
側縁フレームは、前記第２側壁の側縁における前記切込部から上側の部位に取り付けられるとともに、前記側縁フレームを支持する支持部材は、前記底壁、及び前記第２側壁の側縁における前記切込部から下側の部位の少なくとも一方に取り付けられ、
前記支持部材は、前記側縁フレームの下端面が載置される載置部を備え、
前記載置部には、前記側縁フレームよりも内方へ突出して形成され、前記第２側壁の内方への回動を抑制する抑制部が設けられていることを特徴とする折り畳みコンテナ。
【発明の詳細な説明】
【技術分野】
【０００１】
本発明は、合成樹脂製の中空板材からなる四角箱状の折り畳みコンテナに関する。
【背景技術】
【０００２】
特許文献１に開示されるように、近年、軽量化等の観点から、プラスチック段ボール等の合成樹脂製の中空板材から構成されたコンテナが利用されている。特許文献１のコンテナは、四角板状の底壁と、底壁の周縁に立設される第１側壁及び第２側壁とを備える四角箱状に形成されている。そして、各側壁に設けられた熱曲げによる折り目を回動軸として、底壁上に第１側壁を重ねるとともに、第１側壁上に第２側壁を重ねて折り畳むことが可能に構成されている。また、特許文献１のコンテナの第１側壁及び第２側壁の各側縁には、係合部材がそれぞれ取り付けられている。この係合部材を係合させることによって、隣接する第１側壁と第２側壁とが連結されるとともに、第１側壁及び第２側壁が立設された状態で保持される。
【先行技術文献】
【特許文献】
【０００３】
【特許文献１】特開２０００−１１８５２９号公報
【発明の概要】
【発明が解決しようとする課題】
【０００４】
特許文献１のコンテナを折り畳み状態から箱状に組み立てる場合には、第２側壁を上方へ回動させた後、第１側壁を同様に上方へ回動させつつ、第１側壁の係合部材と第２側壁の係合部材を係合させる操作を行う。ここで、第１側壁を回動させる操作時には、作業者は先に回動させた第２側壁を倒れないように支えておく必要があるが、二枚の第２側壁を支えながら第１側壁を回動させる操作は煩雑な作業である。そのため、特許文献１のコンテナには、組み立て時の作業性が悪いという問題があった。
【０００５】
本発明は、こうした従来の実情に鑑みてなされたものであり、その目的は、合成樹脂製の中空板材からなる折り畳みコンテナにおいて、箱状に組み立てる際の作業性に優れた折り畳みコンテナを提供することにある。
【課題を解決するための手段】
【０００６】
上記の目的を達成するための折り畳みコンテナは、内部に中空構造を形成するコア層と前記コア層の両面に配されるスキン層とを有する合成樹脂製の中空板材からなり、四角板状の底壁と、前記底壁の周縁に立設される対向する各一対の第１側壁及び第２側壁を備える四角箱状のコンテナであって、前記底壁上に前記第１側壁を重ねるとともに、前記第１側壁上に前記第２側壁を重ねることにより内方へ折り畳み可能に構成された折り畳みコンテナにおいて、前記第２側壁には、内側の前記スキン層を残した切込部が前記第２側壁の下辺に沿って形成されるとともに、前記第２側壁は、前記切込部において内側の前記スキン層を屈曲させることによって内方へ折り畳み可能に構成され、側縁フレームは、前記第２側壁の側縁における前記切込部から上側の部位に取り付けられるとともに、前記側縁フレームを支持する支持部材は、前記底壁、及び前記第２側壁の側縁における前記切込部から下側の部位の少なくとも一方に取り付けられ、前記支持部材は、前記側縁フレームの下端面が載置される載置部を備え、前記載置部には、前記側縁フレームよりも内方へ突出して形成され、前記第２側壁の内方への回動を抑制する抑制部が設けられている。
【０００７】
上記構成によれば、箱状に組み立てる際に、先に上方へ回動される第２側壁の立設状態を保持させることができる。つまり、支持部材の載置部に内方へ突出する抑制部を設けることによって、立設した第２側壁が内方へ回動しようとした場合に、第２側壁に取り付けられた側縁フレームが抑制部に当接して、第２側壁の内方への回動が抑制される。これにより、折り畳みコンテナを箱状に組み立てる際に、作業者の補助なしで第２側壁の立設状態を保持させることが可能となり、続く第１側壁を上方へ回動させる作業を容易に行うことができる。したがって、箱状に組み立てる際の作業性が向上する。
【発明の効果】
【０００８】
本発明の折り畳みコンテナによれば、箱状に組み立てる際の作業性が向上する。
【図面の簡単な説明】
【０００９】
【図１】折り畳み状態から第２側壁を立設させた折り畳みコンテナの斜視図。
【図２】折り畳みコンテナの斜視図。
【図３】（ａ）は第１側壁の切込部周辺の断面図、（ｂ）は第２側壁の切込部周辺の断面図。
【図４】（ａ），（ｂ）は側縁フレームの斜視図。
【図５】（ａ）は係合フレームの正面図、（ｂ）は係合フレームの斜視図。
【図６】（ａ）は支持部材の斜視図、（ｂ）は支持部材の上面図。
【図７】底壁の隅部周辺の拡大図。
【図８】（ａ）は第２側壁を立設させる途中の側縁フレーム及び支持部材の載置部の断面図、（ｂ）は第２側壁を立設させた状態の側縁フレーム及び支持部材の載置部の断面図、（ｃ）は図２における８−８線断面図、（ｄ）は第２側壁を立設させる途中の側縁フレーム及び支持部材の係止凹部の断面図。
【発明を実施するための形態】
【００１０】
以下、本発明の折り畳みコンテナを図面に基づいて説明する。
図２に示すように、上方に開口する有底箱状の折り畳みコンテナ１０（以下、単にコンテナ１０と記載する。）は、長四角板状の底壁１１と、底壁１１の対向する短側縁に沿って立設された一対の短側壁１２（第１側壁）と、底壁１１の対向する長側縁に沿って立設された一対の長側壁１３（第２側壁）とを備えている。このコンテナ１０は、図１に示すように、一対の短側壁１２を底壁１１上に重ねて折り畳んだ後、一対の長側壁１３を短側壁１２上に重ねて折り畳むことによって、折り畳み可能に構成されている。
【００１１】
コンテナ１０の底壁１１、短側壁１２、及び長側壁１３は、内部に中空構造を有する合成樹脂製の中空板材から形成されている。具体的には、底壁１１となる長四角部分の四側縁に短側壁１２となる部分及び長側壁１３となる部分をそれぞれ一体にした十字状の上記板材を、底壁１１となる部分の四側縁に沿って箱状に屈曲させることによって、底壁１１、短側壁１２、及び長側壁１３が形成されている。図３に示すように、上記中空板材は、内部に中空構造を形成するコア層２１と、コア層２１の両面に接合されるスキン層２２，２３とから構成されるものである。
【００１２】
図２及び図３（ａ）に示すように、短側壁１２の下部には、短側壁１２の下辺に沿って形成される切込部１２ａが設けられている。切込部１２ａは、短側壁１２の外面側から形成され、短側壁１２の内面側に位置するスキン層２３を残しつつ、短側壁１２の外面側に位置するスキン層２２及びコア層２１を切断してなるハーフカットである。短側壁１２は、切込部１２ａにおいて残存する内側のスキン層２３部分を屈曲させて、切込部１２ａを開いた状態とすることによって内方へ折り畳むことが可能になっている。つまり、切込部１２ａにおいて残存する内側のスキン層２３部分をヒンジとして機能させている。
【００１３】
図２及び図３（ｂ）に示すように、長側壁１３の下部にも、同様の切込部１３ａが設けられている。長側壁１３は、切込部１３ａにおいて残存する内側のスキン層２３部分を屈曲させて切込部１３ａを開いた状態とすることによって内方へ折り畳むことが可能になっている。ただし、長側壁１３の切込部１３ａは、短側壁１２の切込部１２ａよりも高い位置に形成されている。具体的には、長側壁１３の切込部１３ａは、底壁１１の上面から短側壁１２の厚さ分だけ高い位置に形成されている。これにより、長側壁１３を折り畳んだ際に、底壁１１と長側壁１３との間に短側壁１２を収容可能な空間Ｓが確保される。
【００１４】
図１及び図２に示すように、中空板材により構成される底壁１１、短側壁１２、及び長側壁１３には、コンテナ１０の強度を向上させること、及び箱形状を維持すること等を目的とした各種補強部材が取り付けられている。
【００１５】
具体的には、底壁１１の四隅に対して支持部材５０が取り付けられている。短側壁１２の側縁における切込部１２ａよりも上側の部位に対して係合フレーム３０が取り付けられるとともに、長側壁１３の側縁における切込部１３ａよりも上側の部位に対して側縁フレーム４０が取り付けられている。また、短側壁１２及び長側壁１３の各上縁、即ちコンテナ１０の開口縁には、上縁フレーム６０が取り付けられている。これらの補強部材は、底壁１１、短側壁１２、及び長側壁１３とは別に、射出成形や押し出し成形等により成形される合成樹脂製の部材である。
【００１６】
図４（ａ）及び（ｂ）に示すように、長側壁１３に取り付けられる側縁フレーム４０は、全体として上下方向に延びる断面Ｌ字状の板状部材であって、長側壁１３に固定される固定壁部４１と、固定壁部４１の側縁から内方（短側壁１２側）へ突出する係合壁部４２とを備えている。固定壁部４１の内側の側端面には、長側壁１３の側縁を挿入するための挿入凹部４３が設けられている。そして、同側端面における挿入凹部４３の上方位置には、上縁フレーム６０に係合する突起部４４が設けられている。また、固定壁部４１の下端面にはフック状をなす一対の係止突部４５が設けられている。
【００１７】
係合壁部４２は、組立状態において、短側壁１２に取り付けられる係合フレーム３０と係合する部位であって、固定壁部４１の外側の側縁に沿って上下方向に延びるように成形されている。係合壁部４２には、係合壁部４２を貫通する３つの係合孔４２ａが上下に並設されるとともに、係合壁部４２の側端面には、係合溝４２ｂが凹設されている。
【００１８】
図５（ａ）及び（ｂ）に示すように、短側壁１２に取り付けられる係合フレーム３０は、正面視略五角形状の板状部材である。係合フレーム３０の内側の側端面から下端面にかけて、短側壁１２の側縁を挿入するための挿入凹部３１が設けられている。そして、同側端面の上部には、上縁フレーム６０に係合する突起部３２が設けられている。
【００１９】
係合フレーム３０の外面側には、正面視四角形状の係合凹部３３が設けられている。係合凹部３３内には、係合フレーム３０の厚さ方向に突出する３つの係合突部３４が上下に並設されている。また、係合フレーム３０の外面側には、係合凹部３３側に向かって開口を有するスロット３５が設けられるとともに、スロット３５内にはロック部材３６が収容されている。スロット３５内において、ロック部材３６は、先端部分を係合凹部３３に突出させた突出位置と、先端部分をスロット３５内に収容させた収容位置との間でスライド移動可能に構成されている。また、係合フレーム３０におけるスロット３５の外面側の壁部には操作窓３５ａが設けられており、この操作窓３５ａを介してロック部材３６を操作することができるように構成されている。
【００２０】
図５（ａ）に示すように、ロック部材３６の内面側には、半球形状の規制突起３６ａが設けられている。そして、係合フレーム３０におけるスロット３５の内面側の壁部には、ロック部材３６が突出位置にあるとき、及び収容位置にあるときにそれぞれ規制突起３６ａを収容して、ロック部材３６を位置決めする第１規制孔３５ｂ及び第２規制孔３５ｃが設けられている。そして、第１規制孔３５ｂと第２規制孔３５ｃとの間にはスリット３５ｄが設けられている。
【００２１】
スリット３５ｄの幅は規制突起３６ａの外径よりも小さい幅に設定されている。そのため、規制突起３６ａがスリット３５ｄを押し広げつつ通過する程度の力がロック部材３６に加えられた場合にのみ、ロック部材３６は収容位置と突出位置との間でスライド移動することができる。
【００２２】
図６（ａ）及び（ｂ）に示すように、支持部材５０は、底壁１１上に配置される下壁部５０ａと、短側壁１２の外面に沿って下壁部５０ａの側縁から立設される縦壁部５０ｂと、長側壁１３の外面に沿って下壁部５０ａの側縁から立設される横壁部５０ｃとを備えている。下壁部５０ａの下面側には、短側壁１２及び長側壁１３の縁部を挿入するための挿入凹部５１が設けられている。
【００２３】
横壁部５０ｃの内面側には、側縁フレーム４０の固定壁部４１が載置される載置部５２が設けられている。載置部５２の上面は、固定壁部４１の下端面を載置するための載置面５２ａであり、載置面５２ａの幅Ｈ（長側壁１４の厚さ方向における幅）は、固定壁部４１の下端面の幅よりも幅広となるように設定されている。
【００２４】
横壁部５０ｃの内面側における載置部５２の両側には、係止凹部５３がそれぞれ設けられている。係止凹部５３は、側縁フレーム４０の固定壁部４１の下端に設けられる係止突部４５の先端が挿入される部位であり、折り畳み状態において、係止凹部５３を形成する内側の壁とフック状に形成される係止突部４５とが係合するように構成されている（図８（ｄ）参照）。
【００２５】
図７は、側縁フレーム４０及び支持部材５０を除いた状態の底壁１１の隅部周辺の拡大図である。図７に示すように、短側壁１２及び長側壁１３の側縁下部には切欠Ｃが設けられており、この切欠Ｃに対して、側縁フレーム４０の下部及び支持部材５０が取り付けられる。切欠Ｃは短側壁１２及び長側壁１３における切込部１２ａ，１３ａよりも下側の一部１２ｂ，１３ｂを残すようにして形成されており、この残された一部１２ｂ，１３ｂが支持部材５０の挿入凹部５１に挿入される。
【００２６】
図２に示すように、上縁フレーム６０は、その下面側に溝を有する断面Ｕ字状の棒状部材であって、上記溝内に短側壁１２及び長側壁１３の各上縁、並びに係合フレーム３０及び側縁フレーム４０の各突起部３２，４４を挿入することによってコンテナ１０の開口縁に固定されている。また、短側壁１２には、把持部材６１が取り付けられている。
【００２７】
次に、本実施形態のコンテナ１０の作用について記載する。
コンテナ１０は、保管時等の非使用時においては各側壁を折り畳んだ状態、具体的には、底壁１１上に重なるように短側壁１２が内方へ折り畳まれるとともに、その短側壁１２上に重なるように長側壁１３が内方へ折り畳まれた状態とされる。そして、コンテナ１０は、必要に応じて作業者により箱状に組み立てた状態とされて使用される。
【００２８】
図８（ａ）及び（ｄ）に示すように、折り畳み状態にあるコンテナ１０を箱状に組み立てる場合には、先ず、長側壁１３の切込部１３ａにおいて残存する内側のスキン層２３部分を回動軸として、長側壁１３を上方へ９０度回動させて、支持部材５０の載置部５２上に側縁フレーム４０の固定壁部４１を載せる。
【００２９】
このとき、図８（ｄ）に示すように、支持部材５０の係止凹部５３内において、係止凹部５３の外側の壁面（横壁部５０ｃ）に対して、側縁フレーム４０の固定壁部４１に設けられる係止突部４５の角部が当接する。そして、係止凹部５３の壁面（横壁部５０ｃ）と係止突部４５の角部との当接部分Ｐを支点として側縁フレーム４０が僅かに上方へ持ち上がりつつ回動する。これにより、固定壁部４１の下端面が、支持部材５０の載置部５２の角部を乗り越えて載置面５２ａ上に乗り上げる。そして、支持部材５０の載置部５２上に固定壁部４１が載置されて、長側壁１３が立設された状態となる。なお、図８（ａ）〜（ｄ）においては、短側壁１２の図示を省略している。
【００３０】
長側壁１３が立設した状態においては、長側壁１３の内方への回動が抑制されて、長側壁１３は作業者の補助なしで立設状態を保持することができる。図８（ｂ），（ｃ）に示すように、支持部材５０の載置部５２の載置面５２ａの幅は、固定壁部４１の下端面の幅よりも幅広に形成されている。そのため、長側壁１３の立設時には、載置面５２ａは固定壁部４１よりも内方へ突出した状態となっている。
【００３１】
これにより、図８（ｃ）における二点鎖線で示すように、立設した長側壁１３が内方へ回動しようとしても、切込部１３ａを回動軸とする固定壁部４１の回動軌跡上に、載置面５２ａの突出部分が位置して、その突出部分と固定壁部４１とが当接する。その結果、それ以上の長側壁１３の内方への回動が規制される。そして、長側壁１３は立設状態で位置決めされて、作業者の補助なしで立設状態を保持する。したがって、本実施形態においては、載置部５２の載置面５２ａに、固定壁部４１よりも突出した部分を設けることによって、特許請求の範囲に記載する「抑制部」が構成されている。
【００３２】
長側壁１３を立設させた後は、短側壁１２の切込部１２ａにおいて残存する内側のスキン層２３部分を回動軸として、短側壁１２を上方へ９０度回動させる。このとき、長側壁１３に取り付けられている側縁フレーム４０の係合壁部４２の係合孔４２ａに対して、隣接する短側壁１２に取り付けられている係合フレーム３０の係合突部３４が内側から挿入される。そして、係合フレーム３０のロック部材３６を収容位置から突出位置へスライド移動させる。これにより、スロット３５からロック部材３６の先端部が突出されるとともに、その突出部分が側縁フレーム４０の係合壁部４２に設けられる係合溝４２ｂ内に挿入される。その結果、短側壁１２は内方への回動が規制されたロック状態となるとともに、短側壁１２と長側壁１３とが互いに連結された状態となる。
【００３３】
また、箱状に組み立てた状態にあるコンテナ１０を折り畳む場合には、上記の操作を逆の順番で行えばよい。その際、長側壁１３を立設状態から折り畳む場合には、例えば、長側壁１３の切込部１３ａから上側の部分をやや上方側へ引っ張りながら、長側壁１３を内方へ回動させることにより、スムーズに折り畳むことができる。
【００３４】
次に、本実施形態における効果について記載する。
（１）中空板材から構成される四角箱状のコンテナ１０は、底壁１１と、底壁１１の短側縁及び長側縁に沿って立設される各一対の短側壁１２及び長側壁１３とを備え、底壁１１上に短側壁１２及び長側壁１３を順に重ねるようにして内方へ折り畳み可能に構成されている。長側壁１３の側縁における切込部１３ａから上側の部位には、側縁フレーム４０が取り付けられるとともに、底壁１１には側縁フレーム４０を支持する支持部材５０が取り付けられている。支持部材５０は、側縁フレーム４０の下端面が載置される載置部５２を備えている。載置部５２には、側縁フレーム４０よりも内方へ突出して形成され、長側壁１３の内方への回動を抑制する抑制部（載置面５２ａ）が設けられている。
【００３５】
上記構成によれば、立設した長側壁１３の内方への回動が抑制されて、長側壁１３は立設状態で位置決めされる。その結果、コンテナ１０を箱状に組み立てる際に、作業者の補助なしで長側壁１３の立設状態を保持させることが可能となり、続く短側壁１２を上方へ回動させる作業を容易に行うことができる。したがって、箱状に組み立てる際の作業性が向上する。
【００３６】
（２）長側壁１３には、内側のスキン層２３を残すように形成された切込部１３ａが長側壁１３の下辺に沿って設けられ、長側壁１３は、切込部１３ａにおいて、残存する内側のスキン層２３を屈曲させることによって内方へ折り畳み可能に構成されている。
【００３７】
上記の切込部１３ａに基づいた長側壁１３の折り畳み構成を採用した場合、残存するスキン層２３に、切込部１３ａに沿った折り目が形成されることになる。このスキン層２３の折り目によって、長側壁１３には、スキン層２３を屈曲させる方向、即ち長側壁１３を折り畳む方向の力が常に作用するようになり、長側壁１３の立設状態が不安定になる傾向がある。そのため、切込部１３ａに基づいた長側壁１３の折り畳み構成を採用する場合において、上記（１）に記載の構成を組み合わせて採用することは特に有効である。
【００３８】
（３）載置部５２の載置面５２ａを、側縁フレーム４０の固定壁部４１の下端面よりも内方側へ大きく形成することによって抑制部を設けている。
上記構成によれば、載置部５２の形状、具体的には載置面５２ａの寸法を変化させるのみで抑制部を設けることができる。そのため、抑制部を設けることによる支持部材５０の形状の複雑化を抑制することができる。
【００３９】
（４）長側壁１３を立設させる際に、支持部材５０の係止凹部５３内にて、係止凹部５３の外側の壁面に対して、側縁フレーム４０の固定壁部４１に設けられる係止突部４５の角部が当接するように構成されている。
【００４０】
上記構成によれば、側縁フレーム４０が上方へ持ち上がりつつ回動するため、固定壁部４１の下端面が載置面５２ａに乗り上げやすくなる。そのため、内方へ突出する抑制部を設けた場合においても、長側壁１３を容易に上方へ回動させることができる。
【００４１】
なお、本実施形態は、次のように変更して具体化することも可能である。また、次の変更例を互いに組み合わせ、その組み合わせの構成のように上記実施形態を変更することも可能である。
【００４２】
・  組み立て時に先に立設される側（折り畳み時に後に折り畳まれる側）の側壁に対して、固定壁部４１を有する側縁フレーム４０が取り付けられるとともに、その側縁フレーム４０の下部に支持部材５０が取り付けられる構成であれば、各側壁の長短は限定されるものではない。
【００４３】
・  抑制部としての載置面５２ａの構成は、長側壁１３の長さ方向における全体が固定壁部４１から突出する構成に限定されるものではなく、長側壁１３の長さ方向における一部のみが突出する構成であってもよい。
【００４４】
・  抑制部は、載置部５２に対して内方へ突出して形成されるものであって、立設状態にある長側壁１３が内方へ回動しようとした際に、側縁フレーム４０の固定壁部４１に当接して長側壁１３の内方への回動を抑制するものであれば、その具体的構成は特に限定されるものではない。例えば、抑制部は、載置部５２の内側の側面に設けられる突起や突条等の突出部であってもよい。
【００４５】
・  側縁フレーム４０の固定壁部４１に設けられる係止突部４５、及び支持部材５０に設けられる係止凹部５３を省略してもよい。
・  支持部材５０を取り付ける部位は底壁１１に限定されるものではなく、長側壁１３における切込部１３ａよりも下側の部位に支持部材５０を取り付ける構成としてもよいし、長側壁１３における同部位及び底壁１１の両方に支持部材５０を取り付ける構成としてもよい。
【００４６】
・  係合フレーム３０と側縁フレーム４０との係合構成は特に限定されるものではなく、箱状に組み立てた際に隣接する側壁同士が連結される構成であればよい。また、係合孔４２ａや係合溝４２ｂ等の係合フレーム３０と係合するための構成を側縁フレーム４０から省略し、係合フレーム３０と係合するための構成を有する係合部材を長側壁１３の側縁に取り付けてもよい。
【００４７】
・  中空板材は、内部に中空構造を形成するコア層２１と、コア層２１の両面に配されるスキン層２２，２３とを有する中空板材であれば、その具体的構成は特に限定されるものではない。例えば、断面がハーモニカ状の押出し製品からなる中空板材のように、コア層２１とスキン層２２，２３とが一体に成形された中空板材であってもよい。この場合には、中空板材の上下面に位置する平板部分がスキン層２２，２３となり、上記平板部分の間に位置する柱部分（壁部分）がコア層２１となる。
【００４８】
上記実施形態及び変更例から把握できる技術的思想について記載する。
（イ）前記抑制部は、前記側縁フレームの回動軌跡に重なるように突出して形成されている前記折り畳みコンテナ。
【００４９】
（ロ）前記載置部の載置面を、前記側縁フレームの下端面よりも内方へ大きく形成することによって前記抑制部が設けられている前記折り畳みコンテナ。
（ハ）前記抑制部は、前記載置部の内側面に設けられた突起又は突条である前記折り畳みコンテナ。
【００５０】
（ニ）前記側縁フレームには、前記第１側壁と前記第２側壁とを連結する係合構成が一体に形成されている前記折り畳みコンテナ。
【符号の説明】
【００５１】
１０…コンテナ、１１…底壁、１２…短側壁、１３…長側壁、１２ａ，１３ａ…切込部、２１…コア層、２２，２３…スキン層、３０…係合フレーム、４０…側縁フレーム、４１…固定壁部、５０…支持部材、５２…載置部、５２ａ…載置面。
【図１】
2014166884.tif 000003
【図２】
2014166884.tif 000004
【図３】
2014166884.tif 000005
【図４】
2014166884.tif 000006
【図５】
2014166884.tif 000007
【図６】
2014166884.tif 000008
【図７】
2014166884.tif 000009
【図８】
2014166884.tif 000010